(57)【要約】      （修正有）【課題】布地の持つ色柄や風合いを生かしつつ、糸や針を使用することなく折り紙感覚で様々な形状を折り上げることができると共に、折り込んだ際にその形状をしっかりと保持することが可能な硬化布地を提供する。【解決手段】硬化布地１は、布地に含浸させた接着剤を固化させることにより折り紙のように折ることができるような強度を備えており、折り物２は、硬化布地１を利用して折られたものである。【選択図】図３
0003227816.tif 000002
【実用新案登録請求の範囲】
【請求項１】
布地に含浸させた接着剤を固化させることにより折り紙のように折れるようにしたことを特徴とする硬化布地。
【請求項２】
請求項１に記載の硬化布地において、
前記接着剤は、熱可塑性樹脂を主剤とした水性エマルジョンタイプで乾燥固化型であることを特徴とする硬化布地。
【請求項３】
請求項１又は２に記載の硬化布地を利用して折られたことを特徴とする折り紙様の折り物。
【請求項４】
請求項１又は２に記載の硬化布地であって、請求項３に記載の折り物とセットにしてパッケージングされていることを特徴とする硬化布地。
【請求項５】
請求項４に記載の硬化布地において、
さらに、メッセージカード及び／又は折り方の説明図を含んでパッケージングされていることを特徴とする硬化布地。
【考案の詳細な説明】
【技術分野】
【０００１】
本考案は、硬化布地及びそれを使用した折り物に関し、さらに詳しくは、絹や綿、或いはポリエステルなどの生地を折り紙のように折ることができるようにした硬化布地及びその硬化布地を使用して折られた物に関する。
【背景技術】
【０００２】
折り紙は、紙を折ることにより動植物や日用品など各種の形を造形する伝統的な遊びである。通常の場合は、一枚の紙から糊などを用いることなく、各種の形状を形作っていく。代表的なものとして、例えば、「鶴」、「手裏剣」、「兜」などが広く知られている。また、使用する紙も様々色彩が施されており、一色のものから各種の柄が描かれたものが提供されている。そして、近年では、折り紙は伝統工芸品としても注目を集めている。
【０００３】
このように、折り紙は手軽に日本の和を意識することができ、また、折り方の手法は人工衛星の太陽光パネルの開発にも利用されており、その多様性は海外からも注目されている。
【０００４】
一方、織物は主として着物の生地として利用されており、その色柄はもちろん素材や染色の手法などによって生み出される風合いと相俟って芸術品のような価値を有するものもある。また、織物は、単に着物の生地としてだけではなく、敷物や寝具その他のものに広く利用されている。
【０００５】
折り紙は紙を素材としており、一度折り方を失敗すると折り目が付いてしまい、出来上がりに遜色が生じてしまう。また、紙は簡単に破れたり、湿度に弱く、そのため、例えば、素材を紙ではなくプラスチック製としたもの（特許文献１）や、紙材と布材を接合一体化させたもの（特許文献２）などが提案されている。
【先行技術文献】
【特許文献】
【０００６】
【特許文献１】特開２００４−１６６８２８号公報
【特許文献２】実用新案登録第３１２１４３５号公報
【考案の概要】
【考案が解決しようとする課題】
【０００７】
特許文献１に示されるプラスチック素材の折り紙は、紙よりも強度は高いと考えられるが、高級感や風合いに欠けるという問題がある。また、布地は非常に柔らかく、そのまま折り紙のように折っても折り上がった形状をそのまま保つことができないが、特許文献２に示されるように、紙材と布材を接合一体化させものは形状を保持することができる一方、表面と裏面で素材が異なり、また、その分厚みも増し、細かい折り込みが行い難いという問題がある。
【０００８】
そこで、本願考案が解決しようとする課題は、布地の持つ色柄や風合いを生かしつつ、糸や針を使用することなく折り紙感覚で様々な形状を折り上げることができると共に、折り込んだ際にその形状をしっかりと保持することが可能な布地提供すること、また、そのような布地を利用して織り上げた折り物を提供することを目的とする。
【課題を解決するための手段】
【０００９】
上記課題を解決するために請求項１に記載の考案は、布地に含浸させた接着剤を固化させることにより折り紙のように折れるようにしたことを特徴とする硬化布地を提供することを目的とする。
【００１０】
上記課題を解決するために請求項２に記載の考案は、請求項１に記載の硬化布地において、前記接着剤は、熱可塑性樹脂を主剤とした水性エマルジョンタイプで乾燥固化型であることを特徴とする。
【００１１】
上記課題を解決するために請求項３に記載の考案は、請求項１又は２に記載の硬化布地を利用して折られたことを特徴とする折り紙様の折り物を提供する。
【００１２】
上記課題を解決するために請求項４に記載の考案は、請求項１又は２に記載の硬化布地であって、請求項３に記載の折り物とセットにしてパッケージングされていることを特徴とする。
【００１３】
上記課題を解決するために請求項５に記載の考案は、請求項４に記載の硬化布地において、さらに、メッセージカード及び／又は折り方の説明図を含んでパッケージングされていることを特徴とする。
【考案の効果】
【００１４】
本考案の硬化布地及びそれを使用した折り物によれば、布地を折り紙のように折り込むことが可能な程度の強度を有するように硬化したので、折り紙のように折り込んで作られた形状が崩れることなくそのまま保持することができるという効果がある。
【００１５】
また、本考案の硬化布地及びそれを使用した折り物によれば、カビや汚れが付いてしまった着物であっても綺麗な箇所を再活用する途を提供することができ、着物の色柄や風合いを生かした伝統工芸品として布地を再利用することができるという効果がある。
【図面の簡単な説明】
【００１６】
【図１】図１は、硬化布地の一実施形態を示す平面図である。
【図２】図２は、硬化布地を用いて折り込んだ鶴の実施例を示す側面図である。
【図３】図３は、硬化布地と鶴の形状に折り込んだ折り物をセットにしてパッケージングしたものを示す平面図である。
【考案を実施するための形態】
【００１７】
以下、本考案に係る硬化布地及びそれを使用した折り物について図面を参照しつつ好ましい一実施形態に基づいて詳細に説明する。
【００１８】
「硬化布地」
本考案に係る硬化布地は、いわゆる接着剤を布地に含浸させ、その接着剤を固化させることにより、いわゆる糊を効かせたように布地に硬さを付与したものである。材料となる布地は、例えば、天然繊維の木綿（綿）、絹、麻、ウール、カシミア等を用いたもの、また、合成繊維のアセテート、キュプラ、レーヨン、ポリエステル、ナイロン等を用いたものなどを使用することができる。特に、天然繊維であれば、絹、合成繊維であればポリエステルが好適に使用できる。もちろん、これに限定されるものではない。また、着物や被服それらの古着、スカーフ、布団カバー等、その他の生地も利用することもできる。
【００１９】
布地全体を硬化させるための接着剤は、熱可塑性樹脂を主剤とした接着剤を使用することができる。そして、硬化布地の硬さは、含浸させる接着剤の濃度によって適宜に調整することができる。含浸させる接着剤は、各種のものを使用することができるが、例えば、酢酸ビニル系、ポリビニルアルコール系、エチレン酢酸ビニル系、塩化ビニル系、ポリアミド系、セルロース系、プロビニルピロリドン系等がある。例えば、酢酸ビニル樹脂はチューインガムのガムベースに使用されているように安全性が高い。接着剤の濃度を水で簡単に調整するために、接着剤は水性エマルジョンタイプであるとよい。また、接着剤は、簡単に硬化させることができる乾燥固化型のものを利用するとよい。なお、それ以外の接着剤、例えば、熱硬化型の接着剤であれば、適宜に熱を加えて硬化させることもできる。
【００２０】
［硬化布地の製造方法］
次に、硬化布地の製造方法について説明する。初めに、硬化させる布地を適宜の大きさにカットする。カットサイズは特に限定されないが、予め折り紙として利用できるサイズ、例えば、折り紙として一般的なサイズである１５ｃｍ×１５ｃｍにカットする。着物の生地を使用する場合には、着物の絵柄を考慮してカットする。
【００２１】
一方、接着剤は、水溶性エマルジョンのものに一定量の水を加えて混合し、適宜の濃度に薄めた接着剤溶液を準備する。そして、接着剤溶液に布地を浸漬し、接着剤溶液を布地に含浸させる。そして、接着剤溶液を含浸させた布地を乾燥させることにより、接着剤を固化させ、布地を硬化させる。これにより、布地を硬化布地とすることができる。尚、接着剤の濃度は使用する生地によって適宜に調整する。例えば、予め濃度の異なる接着剤溶液を準備し、出来上がった硬化布地の硬さを確認し、適度な濃度を選択する。
【００２２】
［折り物］
上述した硬化布地は、普通の絹織物やポリエステル生地のような柔らかさはなく、ある程度の硬さ（強度）を有しているので、一般的に折り紙で折られるような、例えば、「鶴」や「兜」といったものを折り込むことができる。折り方は普通の折り紙の場合と変わらないので、その説明は省略する。なお、折り込む際に、硬化生地を加圧したり、アイロンをかけたりすることで、折り目をしっかりさせることができる。このようにして硬化布地から「鶴」や「兜」といった折り物を作ることができる。
【００２３】
硬化布地は、１又は複数枚を１セットとしてパッケージングすることができ、その際、所定の形に折られた折り物を含めてもよい。さらに、必要に応じて、折り方を図解した説明図やメッセージカード、紐や糸、その他の部品を同梱させることもできる。
【００２４】
［実施形態の効果］
以上のように、本考案に係る硬化布地によれば、布地を折り紙のように折り込むことが可能な程度の強度を有するように硬化したので、折り紙のように折り込んで作られた形状が崩れることなくそのまま保持することができ、物や古布のような布地を簡単にリイメクすることができるという効果がある。また、硬化布地を使用した折り物は、和のオブジェとしてインテリアや被服の装飾に利用することができるという効果がある。
【実施例１】
【００２５】
図１は硬化布地の実施例を示す平面図、図２は硬化布地を用いて折り込んだ鶴の実施例を示す側面図である。
【００２６】
図示された硬化布地１は、ポリエステルの古布生地を用いたものであり、一般的な折り紙のサイズである１５ｃｍ×１５ｃｍの正方形に形成されている。使用した接着剤は、ポリ酢酸ビニル水性エマルジョンであり、接着剤１重量部に、水を５重量部加えたものである。この接着剤水溶液にポリエステル生地を浸漬し、乾燥させたものである。
【００２７】
図２に示すように、折り物２は、硬化生地１を用いて折った鶴である。もちろん、折り物２の形状は鶴に限らず、各種の形状とすることができるのはいうまでもない。
【００２８】
図３は、硬化布地１と鶴の形状に折り込んだ折り物２をセットにしてパッケージングしたものを示す平面図である。硬化布地１と折り物２は、透明な材質、例えば、ＯＰＰ（Oriented Polypropylene）の包装用袋１０内に収容され、販売に供される。また、このパッケージには、例えば、メッセージカード２０が同梱されているが、折り方を図解した説明図（図示せず）、紐や糸などの硬化布地１や折り物２を活用するために必要なその他の部品（いずれも図示せず）を同梱させることもできる。
【符号の説明】
【００２９】
１      硬化布地
２      折り物
１０      包装用袋
２０      メッセージカード
【図１】
0003227816.tif 000003
【図２】
0003227816.tif 000004
【図３】
0003227816.tif 000005
【手続補正書】
【提出日】令和2年6月19日(2020.6.19)
【手続補正１】
【補正対象書類名】実用新案登録請求の範囲
【補正対象項目名】全文
【補正方法】変更
【補正の内容】
【実用新案登録請求の範囲】
【請求項１】
布地に含浸させた接着剤を固化させた硬化布地であって、折り紙のように折ることが可能な強度を備えていることを特徴とする硬化布地。
【請求項２】
請求項１に記載の硬化布地において、
前記接着剤は、熱可塑性樹脂を主剤とした水性エマルジョンタイプで乾燥固化型であることを特徴とする硬化布地。
【請求項３】
請求項１又は２に記載の硬化布地を利用して折られたことを特徴とする折り紙様の折り物。
【請求項４】
請求項１又は２に記載の硬化布地と、
請求項３に記載の折り物と、
をセットにしてパッケージングしたことを特徴とする硬化布地のパッケージ。
【請求項５】
請求項４に記載の硬化布地のパッケージにおいて、
さらに、メッセージカード及び／又は折り方の説明図を含んでパッケージングされていることを特徴とする硬化布地のパッケージ。
【手続補正２】
【補正対象書類名】明細書
【補正対象項目名】全文
【補正方法】変更
【補正の内容】
【考案の詳細な説明】
【技術分野】
【０００１】
本考案は、硬化布地及びそれを使用した折り物並びに硬化布地のパッケージ
に関し、さらに詳しくは、絹や綿、或いはポリエステルなどの生地を折り紙のように折ることができるようにした硬化布地及びその硬化布地を使用して折られた折り物並びに硬化布地のパッケージに関する。
【背景技術】
【０００２】
折り紙は、紙を折ることにより動植物や日用品など各種の形を造形する伝統的な遊びである。通常の場合は、一枚の紙から糊などを用いることなく、各種の形状を形作っていく。代表的なものとして、例えば、「鶴」、「手裏剣」、「兜」などが広く知られている。また、使用する紙も様々色彩が施されており、一色のものから各種の柄が描かれたものが提供されている。そして、近年では、折り紙は伝統工芸品としても注目を集めている。
【０００３】
このように、折り紙は手軽に日本の和を意識することができ、また、折り方の手法は人工衛星の太陽光パネルの開発にも利用されており、その多様性は海外からも注目されている。
【０００４】
一方、織物は主として着物の生地として利用されており、その色柄はもちろん素材や染色の手法などによって生み出される風合いと相俟って芸術品のような価値を有するものもある。また、織物は、単に着物の生地としてだけではなく、敷物や寝具その他のものに広く利用されている。
【０００５】
折り紙は紙を素材としており、一度折り方を失敗すると折り目が付いてしまい、出来上がりに遜色が生じてしまう。また、紙は簡単に破れたり、湿度に弱く、そのため、例えば、素材を紙ではなくプラスチック製としたもの（特許文献１）や、紙材と布材を接合一体化させたもの（特許文献２）などが提案されている。
【先行技術文献】
【特許文献】
【０００６】
【特許文献１】特開２００４−１６６８２８号公報
【特許文献２】実用新案登録第３１２１４３５号公報
【考案の概要】
【考案が解決しようとする課題】
【０００７】
特許文献１に示されるプラスチック素材の折り紙は、紙よりも強度は高いと考えられるが、高級感や風合いに欠けるという問題がある。また、布地は非常に柔らかく、そのまま折り紙のように折っても折り上がった形状をそのまま保つことができないが、特許文献２に示されるように、紙材と布材を接合一体化させものは形状を保持することができる一方、表面と裏面で素材が異なり、また、その分厚みも増し、細かい折り込みが行い難いという問題がある。
【０００８】
そこで、本願考案が解決しようとする課題は、布地の持つ色柄や風合いを生かしつつ、糸や針を使用することなく折り紙感覚で様々な形状を折り上げることができると共に、折り込んだ際にその形状をしっかりと保持することが可能な布地提供すること、また、そのような布地を利用して織り上げた折り物並びに硬化布地のパッケージを提供することを目的とする。
【課題を解決するための手段】
【０００９】
上記課題を解決するために請求項１に記載の考案は、布地に含浸させた接着剤を固化させた化布地であって、折り紙のように折ることが可能な強度を備えていることを特徴とする硬化布地を提供することを目的とする。
【００１０】
上記課題を解決するために請求項２に記載の考案は、請求項１に記載の硬化布地において、前記接着剤は、熱可塑性樹脂を主剤とした水性エマルジョンタイプで乾燥固化型であることを特徴とする。
【００１１】
上記課題を解決するために請求項３に記載の考案は、請求項１又は２に記載の硬化布地を利用して折られたことを特徴とする折り紙様の折り物を提供する。
【００１２】
上記課題を解決するために請求項４に記載の考案は、請求項１又は２に記載の硬化布地と、請求項３に記載の折り物とをセットにしてパッケージングされていることを特徴とする硬化布地のパッケージを提供する。
【００１３】
上記課題を解決するために請求項５に記載の考案は、請求項４に記載の硬化布地のパッケージにおいて、さらに、メッセージカード及び／又は折り方の説明図を含んでパッケージングされていることを特徴とする。
【考案の効果】
【００１４】
本考案の硬化布地及びそれを使用した折り物並びに硬化布地のパッケージによれば、布地を折り紙のように折り込むことが可能な程度の強度を有するように硬化したので、折り紙のように折り込んで作られた形状が崩れることなくそのまま保持することができるという効果がある。
【００１５】
また、本考案の硬化布地及びそれを使用した折り物並びに硬化布地のパッケージによれば、カビや汚れが付いてしまった着物であっても綺麗な箇所を再活用する途を提供することができ、着物の色柄や風合いを生かした伝統工芸品として布地を再利用することができるという効果がある。
【図面の簡単な説明】
【００１６】
【図１】図１は、硬化布地の一実施形態を示す平面図である。
【図２】図２は、硬化布地を用いて折り込んだ鶴の実施例を示す側面図である。
【図３】図３は、硬化布地と鶴の形状に折り込んだ折り物をセットにしてパッケージングしたものを示す平面図である。
【考案を実施するための形態】
【００１７】
以下、本考案に係る硬化布地及びそれを使用した折り物並びに硬化布地のパッケージについて図面を参照しつつ好ましい一実施形態に基づいて詳細に説明する。
【００１８】
「硬化布地」
本考案に係る硬化布地は、いわゆる接着剤を布地に含浸させ、その接着剤を固化させることにより、いわゆる糊を効かせたように布地に硬さを付与したものである。材料となる布地は、例えば、天然繊維の木綿（綿）、絹、麻、ウール、カシミア等を用いたもの、また、合成繊維のアセテート、キュプラ、レーヨン、ポリエステル、ナイロン等を用いたものなどを使用することができる。特に、天然繊維であれば、絹、合成繊維であればポリエステルが好適に使用できる。もちろん、これに限定されるものではない。また、着物や被服それらの古着、スカーフ、布団カバー等、その他の生地も利用することもできる。
【００１９】
布地全体を硬化させるための接着剤は、熱可塑性樹脂を主剤とした接着剤を使用することができる。そして、硬化布地の硬さは、含浸させる接着剤の濃度によって適宜に調整することができる。含浸させる接着剤は、各種のものを使用することができるが、例えば、酢酸ビニル系、ポリビニルアルコール系、エチレン酢酸ビニル系、塩化ビニル系、ポリアミド系、セルロース系、プロビニルピロリドン系等がある。例えば、酢酸ビニル樹脂はチューインガムのガムベースに使用されているように安全性が高い。接着剤の濃度を水で簡単に調整するために、接着剤は水性エマルジョンタイプであるとよい。また、接着剤は、簡単に硬化させることができる乾燥固化型のものを利用するとよい。なお、それ以外の接着剤、例えば、熱硬化型の接着剤であれば、適宜に熱を加えて硬化させることもできる。
【００２０】
［硬化布地の製造方法］
次に、硬化布地の製造方法について説明する。初めに、硬化させる布地を適宜の大きさにカットする。カットサイズは特に限定されないが、予め折り紙として利用できるサイズ、例えば、折り紙として一般的なサイズである１５ｃｍ×１５ｃｍにカットする。着物の生地を使用する場合には、着物の絵柄を考慮してカットする。
【００２１】
一方、接着剤は、水溶性エマルジョンのものに一定量の水を加えて混合し、適宜の濃度に薄めた接着剤溶液を準備する。そして、接着剤溶液に布地を浸漬し、接着剤溶液を布地に含浸させる。そして、接着剤溶液を含浸させた布地を乾燥させることにより、接着剤を固化させ、布地を硬化させる。これにより、布地を硬化布地とすることができる。尚、接着剤の濃度は使用する生地によって適宜に調整する。例えば、予め濃度の異なる接着剤溶液を準備し、出来上がった硬化布地の硬さを確認し、適度な濃度を選択する。
【００２２】
［折り物］
上述した硬化布地は、普通の絹織物やポリエステル生地のような柔らかさはなく、ある程度の硬さ（強度）を有しているので、一般的に折り紙で折られるような、例えば、「鶴」や「兜」といったものを折り込むことができる。折り方は普通の折り紙の場合と変わらないので、その説明は省略する。なお、折り込む際に、硬化生地を加圧したり、アイロンをかけたりすることで、折り目をしっかりさせることができる。このようにして硬化布地から「鶴」や「兜」といった折り物を作ることができる。
【００２３】
［硬化布地のパッケージ］
硬化布地は、１又は複数枚を１セットとしてパッケージングすることができ、その際、所定の形に折られた折り物を含めてもよい。さらに、必要に応じて、折り方を図解した説明図やメッセージカード、紐や糸、その他の部品を同梱させることもできる。
【００２４】
［実施形態の効果］
以上のように、本考案に係る硬化布地並びに硬化布地のパッケージによれば、布地を折り紙のように折り込むことが可能な程度の強度を有するように硬化したので、折り紙のように折り込んで作られた形状が崩れることなくそのまま保持することができ、物や古布のような布地を簡単にリイメクすることができるという効果がある。また、硬化布地を使用した折り物は、和のオブジェとしてインテリアや被服の装飾に利用することができるという効果がある。
【実施例１】
【００２５】
図１は硬化布地の実施例を示す平面図、図２は硬化布地を用いて折り込んだ鶴の実施例を示す側面図である。
【００２６】
図示された硬化布地１は、ポリエステルの古布生地を用いたものであり、一般的な折り紙のサイズである１５ｃｍ×１５ｃｍの正方形に形成されている。使用した接着剤は、ポリ酢酸ビニル水性エマルジョンであり、接着剤１重量部に、水を５重量部加えたものである。この接着剤水溶液にポリエステル生地を浸漬し、乾燥させたものである。
【００２７】
図２に示すように、折り物２は、硬化生地１を用いて折った鶴である。もちろん、折り物２の形状は鶴に限らず、各種の形状とすることができるのはいうまでもない。
【００２８】
図３は、硬化布地１と鶴の形状に折り込んだ折り物２をセットにしてパッケージングしたものを示す平面図である。硬化布地１と折り物２は、透明な材質、例えば、ＯＰＰ（Oriented Polypropylene）の包装用袋１０内に収容され、販売に供される。また、このパッケージには、例えば、メッセージカード２０が同梱されているが、折り方を図解した説明図（図示せず）、紐や糸などの硬化布地１や折り物２を活用するために必要なその他の部品（いずれも図示せず）を同梱させることもできる。
【符号の説明】
【００２９】
１      硬化布地
２      折り物
１０      包装用袋
２０      メッセージカード